(57)【要約】【課題】受取ロールに転移したトナーを掻取部材のみで除去する場合と比して、受取ロールのフィルミングを抑制することを目的とする。【解決手段】周面に付された現像剤のトナーを感光体に転移して現像する現像ロールと、該現像ロールに回転しつつ接触して現像後に残存したトナーを前記現像ロールから転移して受け取る受取ロールと、該受取ロールに転移して付着したトナーを掻き取る掻取部材と、該掻取部材による掻き取り前に前記受取ロールに付着したトナーの付着力を低減する低減手段と、を備えている。【選択図】図４
2019056784.tif 000002
【特許請求の範囲】
【請求項１】
周面に付された現像剤のトナーを感光体に転移して現像する現像ロールと、
該現像ロールに回転しつつ接触して現像後に残存したトナーを前記現像ロールから転移して受け取る受取ロールと、
該受取ロールに転移して付着したトナーを掻き取る掻取部材と、
該掻取部材による掻き取り前に前記受取ロールに付着したトナーの付着力を低減する低減手段と、
を備えた画像形成装置。
【請求項２】
前記低減手段は、トナーに帯びた静電力を低減する除電器である請求項１に記載の画像形成装置。
【請求項３】
現像後に前記現像ロールに残存するトナーの残量に基づいて前記除電器からの出力を制御する制御部をさらに備えた請求項２に記載の画像形成装置。
【請求項４】
前記制御部は、前記残量に関する情報としての前記感光体に形成する画像の情報に基づいて前記出力を定める請求項３に記載の画像形成装置。
【請求項５】
前記除電器は、前記受取ロールの回転軸に沿って複数配列されている請求項２に記載の画像形成装置。
【請求項６】
現像後に前記現像ロールの回転軸方向の各所に残存するトナーの残量に基づいて各除電器からの出力を制御する制御部をさらに備えた請求項５に記載の画像形成装置。
【請求項７】
前記制御部は、前記残量に関する情報としての前記感光体に形成する画像の情報に基づいて前記各除電器による出力を定める請求項６に記載の画像形成装置。
【発明の詳細な説明】
【技術分野】
【０００１】
本発明は、画像形成装置に関する。
【背景技術】
【０００２】
特許文献１のデジタル印刷装置は、現像ローラが、液体トナーを電荷パターンに従って像担持ローラ上に移すように配置されている。印刷装置は、現像ローラと像担持ローラとの間の回転接触領域の上流側の上流側帯電器と、領域の下流側の下流側除電器と、液体トナー残渣の電荷を表す特性を検出する、領域の下流側のセンサとを備えている。また、印刷装置は、センサからセンサデータを受け取るとともに、下流側除電器を制御する制御信号を与えるコントローラとをさらに備えている。
【０００３】
特許文献２の湿式現像装置では、現像ローラの感光体ドラムとの転接部より回転方向下流側の表面に対向する位置に、現像ローラの表面にマイナス電荷を印加するセットチャージャが設けられている。現像ローラの上記セットチャージャの対向位置と、クリーニングローラとの転接部との間の表面に対向する位置と、クリーニングローラの現像ローラとの転接部より回転方向下流側の表面に対向する位置のいずれか一方の位置に、各表面に液体現像剤を塗布する液体現像剤塗布手段が設けられる。クリーニングローラの現像ローラとの転接部の回転方向下流側の表面と、現像ローラのクリーニングローラとの転接部より回転方向下流側の表面にそれぞれにクリーニングブレードが当接されている。
【０００４】
特許文献３では、現像ロールに当接したクリーニングロールに対してスポンジロールでトナーを回収する。
【先行技術文献】
【特許文献】
【０００５】
【特許文献１】特開２０１４−２０３０７６号公報
【特許文献２】特開２０１１−２３７５１４号公報
【特許文献３】米国特許出願公開第２００９／００９７８８３号明細書
【発明の概要】
【発明が解決しようとする課題】
【０００６】
本発明は、受取ロールに転移したトナーを掻取部材のみで除去する場合と比して、受取ロールのフィルミングを抑制することを目的とする。
【課題を解決するための手段】
【０００７】
請求項１の発明は、周面に付された現像剤のトナーを感光体に転移して現像する現像ロールと、該現像ロールに回転しつつ接触して現像後に残存したトナーを前記現像ロールから転移して受け取る受取ロールと、該受取ロールに転移して付着したトナーを掻き取る掻取部材と、該掻取部材による掻き取り前に前記受取ロールに付着したトナーの付着力を低減する低減手段と、を備えた画像形成装置である。
【０００８】
請求項２の発明は、前記低減手段は、トナーに帯びた静電力を低減する除電器である請求項１に記載の画像形成装置である。
【０００９】
請求項３の発明は、現像後に前記現像ロールに残存するトナーの残量に基づいて前記除電器からの出力を制御する制御部をさらに備えた請求項２に記載の画像形成装置である。
【００１０】
請求項４の発明は、前記制御部は、前記残量に関する情報としての前記感光体に形成する画像の情報に基づいて前記出力を定める請求項３に記載の画像形成装置である。
【００１１】
請求項５の発明は、前記除電器は、前記受取ロールの回転軸に沿って複数配列されている請求項２に記載の画像形成装置である。
【００１２】
請求項６の発明は、現像後に前記現像ロールの回転軸方向の各所に残存するトナーの残量に基づいて各除電器からの出力を制御する制御部をさらに備えた請求項５に記載の画像形成装置である。
【００１３】
請求項７の発明は、前記制御部は、前記残量に関する情報としての前記感光体に形成する画像の情報に基づいて前記各除電器による出力を定める請求項６に記載の画像形成装置である。
【発明の効果】
【００１４】
請求項１では、受取ロールに転移したトナーを掻取部材のみで除去する場合と比して、受取ロールのフィルミングを抑制することができる。
【００１５】
請求項２では、受取ロールに転移したトナーの付着力を機械的手段で低減する場合と比して、受取ロールや掻取部材のストレスを抑制することができる。
【００１６】
請求項３では、トナーの残量によらず出力を一定とする場合と比して、フィルミングを抑制することができる。
【００１７】
請求項４では、トナーの残量を測定する場合と比して、構成を簡素化することができる。
【００１８】
請求項５では、単一の除電器が受取ロールの回転軸に沿って設けられた場合と比して、回転軸に沿って配置された各除電器からの出力を異なる値とすることができる。
【００１９】
請求項６では、トナーの残量によらず出力を一定とする場合と比して、各所でのフィルミングを抑制することができる。
【００２０】
請求項７では、トナーの残量を測定する場合と比して、構成を簡素化することができる。
【図面の簡単な説明】
【００２１】
【図１】第一実施形態に係る画像形成装置の要部を示した構成図である。
【図２】第一実施形態に係るトナー調整機構等を示した構成図である。
【図３】第一実施形態に係る画像形成装置に備えられた画像形成部を示した構成図である。
【図４】第一実施形態に係る画像形成装置に備えられた回収機構を示した拡大図である。
【図５】第一実施形態に係る除電器を示す拡大図である。
【図６】第一実施形態に係る主回収機構を示すブロック図である。
【図７】第一実施形態の動作を示すフローチャートである。
【図８】第一実施形態の制御で用いるデータテーブルを示す図である。
【図９】第一実施形態の画像面積率と除電器出力との関係を示すグラフである。
【図１０】第一実施形態の効果の説明に用いる棒グラブである。
【図１１】第二実施形態に係る除電器を示す拡大図である。
【図１２】第二実施形態に係る主回収機構を示すブロック図である。
【図１３】第二実施形態の動作を示すフローチャートである。
【発明を実施するための形態】
【００２２】
（第一実施形態）
以下、図面を参照しつつ、第一実施形態に係る画像装置の一例を説明する。なお、図中に示す矢印Ｈは、装置上下方向（鉛直方向）を示し、矢印Ｗは、装置幅方向（水平方向）を示す。
【００２３】
（全体構成）
図１に示すように、本実施形態に係る画像形成装置１０は、粉体のトナーをキャリア液に分散させて得た液状タイプの現像剤Ｇを用いて、記録媒体としての連続紙Ｐに画像を形成する装置である。現像剤Ｇのキャリア液の下位概念としては、オイルが挙げられ、このオイルとしては、揮発性のオイルや不揮発性のオイルが挙げられる。
【００２４】
画像形成装置１０は、連続紙Ｐを搬送する搬送部２０と、トナー画像を形成する画像形成部２６と、トナー画像を連続紙Ｐに定着する定着装置７０とを備えている。
【００２５】
また、画像形成装置１０は、図２に示すように、現像剤Ｇを再利用するために、画像形成部２６から回収された現像剤Ｇのトナー濃度を調整するトナー調整機構１２０を備えている。
【００２６】
（搬送部）
搬送部２０は、図１に示したように、連続紙Ｐを予め定められた搬送速度で図中矢印Ａ方向（以下「媒体搬送方向」）に搬送するとともに、一対の搬送ロール２０Ａ、２０Ｂを備えている。
【００２７】
（画像形成部）
画像形成部２６は、黄色（Ｙ）の画像を形成する画像形成部２６Ｙ、マゼンタ色（Ｍ）の画像を形成する画像形成部２６Ｍ、シアン色（Ｃ）の画像を形成する画像形成部２６Ｃ、及び黒色（Ｋ）の画像を形成する画像形成部２６Ｋを備えている。画像形成部２６Ｋ、画像形成部２６Ｃ、画像形成部２６Ｍ、及び画像形成部２６Ｙは、媒体搬送方向Ａの上流側から順に配置されている。以後の説明では、特に区別する必要がない場合には、符号末尾の「Ｙ」、「Ｍ」、「Ｃ」、「Ｋ」を省略する。
【００２８】
この画像形成部２６は、図３に示すように、トナー画像を形成するための画像形成ユニット３２と、トナー画像を連続紙Ｐに転写するための転写ユニット３４とを備えている。
【００２９】
〔画像形成ユニット〕
画像形成ユニット３２は、トナー画像が形成される感光体３８と、感光体３８を帯電する帯電装置４０と、感光体３８に露光光を照射して静電潜像を形成する露光装置４２とを備えている。さらに、画像形成ユニット３２は、感光体３８に現像剤Ｇを受け渡し、現像剤Ｇのトナーによって感光体３８の静電潜像をトナー画像として現像する現像装置４４を備えている。
【００３０】
また、画像形成ユニット３２は、トナー画像を転写ロール３４Ａに転写する前に、感光体３８の現像剤Ｇから現像剤Ｇに含まれるキャリア液を除去する除去部材８６と、感光体３８に残留した現像剤Ｇを回収する回収機構９０とを備えている。
【００３１】
［現像装置］
現像装置４４は、感光体３８に形成された静電潜像に現像剤Ｇのトナーを受け渡す現像部５０と、現像部５０に現像剤Ｇを供給する現像剤供給部４８とを備えている。
【００３２】
現像部５０は、図４に示すように、周面５２Ｂに付された現像剤Ｇのトナーを感光体３８に転移して現像する現像ロール５２と、帯電部材５４とを備えている。
【００３３】
また、現像部５０は、トナー転移後に現像ロール５２の周面５２Ｂに残存したトナーを回収する主回収機構１１０と、さらに周面５２Ｂに残存したトナーを掻き取って回収する副回収機構１００とを備えている。
【００３４】
［現像剤供給部］
現像剤供給部４８は、図３に示したように、現像剤Ｇが溜められる現像剤槽６０と、現像剤槽６０から現像剤Ｇを汲み上げて現像ロール５２に供給する供給ロール６２とを備えている。また、現像剤供給部４８は、供給ロール６２に付着した現像剤Ｇの層膜を調整するブレード６４と、帯電装置６６とを備えている。
【００３５】
〔転写ユニット〕
転写ユニット３４は、転写ロール３４Ａと、転写ロール３４Ａの反対側に配置されたバックアップロール３４Ｂとを備えている。さらに、転写ユニット３４は、転写ロール３４Ａから連続紙Ｐに転写されずに転写ロール３４Ａに残留した現像剤Ｇを転写ロール３４Ａから回収する回収機構８８を備えている。
【００３６】
（定着装置）
定着装置７０は、図１に示したように、連続紙Ｐを加熱する加熱部７２と、トナー画像を連続紙Ｐに定着する定着部８０とを備えている。
【００３７】
（全体構成の作用）
図３に示したように、回転駆動する供給ロール６２は、現像剤槽６０に溜められている現像剤Ｇを汲み上げる。そして、供給ロール６２によって汲み上げられた現像剤Ｇが現像ロール５２に供給される。
【００３８】
さらに、帯電部材５４は、現像ロール５２に供給された現像剤Ｇに含まれるトナーを帯電し、帯電したトナーを含む現像剤Ｇが、現像ロール５２から感光体３８に形成された静電潜像に受け渡される。そして、この静電潜像は、現像装置４４によってトナー画像として現像される。
【００３９】
回転する感光体３８に形成されたトナー画像は、転写ロール３４Ａに一次転写される（受け渡される）。転写ロール３４Ａに一次転写されたトナー画像は、搬送される連続紙Ｐに転写される。この際に、トナー画像と共にキャリア液が、連続紙Ｐへと移行する（受け渡される）。この工程が、各色の画像形成部２６で行われ、連続紙Ｐには、各色が重畳したトナー画像が形成される。
【００４０】
さらに、搬送される連続紙Ｐのキャリア液は、図１に示したように、定着装置７０で除去され、トナー画像が連続紙Ｐに定着される。
【００４１】
（要部構成）
次に、図２に示したように、回収機構９０、主回収機構１１０、副回収機構１００、及びトナー調整機構１２０について説明する。
【００４２】
〔回収機構〕
回収機構９０は、感光体３８から転写ロール３４Ａに受け渡されずに感光体３８に残留したトナーを含む現像剤Ｇを感光体３８から掻き取る掻取ブレード９２と、掻き取られた現像剤Ｇを回収する回収部材９４とを備えている。さらに、回収機構９０は、回収部材９４に回収された現像剤Ｇを後述する受取部１３２に向けて輸送するための輸送管９６と、ポンプ９８とを備えている。以後の説明では、掻取ブレード９２によって掻き取られた現像剤Ｇを第一回収剤Ｋ１と称する。
【００４３】
これにより、このポンプ９８が、第一回収剤Ｋ１を輸送管９６内に流して第一回収剤Ｋ１を受取部１３２に排出する。
【００４４】
〔主回収機構〕
主回収機構１１０は、現像ロール５２から感光体３８に受け渡されずに現像ロール５２に残留したトナーを含む現像剤Ｇを現像ロール５２から回収する機構である。
【００４５】
なお、回収されるトナーは、キャリア液を含んでおり、このキャリア液とトナーとによって現像剤Ｇを構成するが、現像ロール５２に残存した現像剤Ｇは主な成分がトナーなので、以下の主回収機構１１０の説明においてはトナーとして説明する。
【００４６】
具体的に説明すると、主回収機構１１０は、図４に示したように、現像ロール５２に回転しつつ接触して現像後に残存したトナーを現像ロール５２から転移して受け取る受取ロール１１２を備えている。また、主回収機構１１０は、受取ロール１１２に転移して付着したトナーを掻き取る掻取部材である掻取ブレード１１４と、掻取ブレード１１４による掻き取り前に受取ロール１１２に付着したトナーの付着力を低減する低減手段とを備えている。
【００４７】
この低減手段を多面的に表現すると互いに凝集したトナー又は受取ロール１１２の周面１１２Ａに固着したトナーを解す手段であり、低減手段の下位概念としては、トナーを物理的に解すブラシが挙げられる。また、低減手段の他の下位概念としては、トナーの電気的な結合強度を弱める除電器が挙げられ、本実施形態では、低減手段を除電器１１６で構成する。
【００４８】
さらに、主回収機構１１０は、図４に示したように、掻取ブレード１１４で掻き取ったトナーを回収する回収部材１１８と、回収部材１１８に回収されたトナーを後述する受取部１３２に向けて輸送するための図示しない輸送管及びポンプとを備えている。
【００４９】
（受取ロール）
受取ロール１１２は、現像ロール５２より小径の円筒体で構成されており、受取ロール１１２の周面１１２Ａは、現像ロール５２の周面５２Ｂに接する。受取ロール１１２と現像ロール５２との間には、電位差が付けられており、バイアスが生ずる。これにより、現像ロール５２の周面５２Ｂのトナーが、接触位置において受取ロール１１２の周面１１２Ａへ受け渡される。
【００５０】
（除電器）
除電器１１６は、図５に示すように、矩形長尺状のケース１１６Ａと、ケース１１６Ａ内において長さ方向ＮＨに張られたワイヤ１１６Ｂとを備えており、ケース１１６Ａは、受取ロール１１２側が開口している。この除電器１１６は、受取ロール１１２の回転軸１１２Ｂに沿って配置されており、ワイヤ１１６Ｂが受取ロールの長さ方向ＮＨ全域にわたって延びている。
【００５１】
除電器１１６は、図６に示すように、制御部２１０（詳細は後述する）に接続されており、図４及び図５に示したように、除電器１１６のワイヤ１１６Ｂには、制御部２１０から出力された電圧が印加される。ここで、このワイヤ１１６Ｂに対向する受取ロール１１２に残存したトナーは、静電気を帯びており、その静電力によって互いの凝集力及び受取ロール１１２への固着力が生じている。
【００５２】
そこで、除電器１１６のワイヤ１１６Ｂに電圧を印加してコロナ放電を発生させ、トナーに帯びた静電力を低減することで、トナーの凝集力及び固着力を低下させる。
【００５３】
（掻取ブレード）
掻取ブレード１１４は、図４に示したように、一例として平板で形成されており、受取ロール１１２の長さ方向ＮＨ全域にわたって延びている。掻取ブレード１１４の短手方向の一側縁は、受取ロール１１２の周面１１２Ａに接しており、受取ロール１１２の回転に伴って周面１１２Ａに残存するとともに、除電器１１６で除電だれたトナーを掻き取る。つまり、現像ロール５２及び受取ロール１１２の接触位置と、除電器１１６による除電位置と、掻取ブレード１１４による掻取位置とが、受取ロール１１２の回転方向の上流側から順に設定されている。
【００５４】
〔副回収機構〕
副回収機構１００は、現像ロール５２から感光体３８に受け渡されずに現像ロール５２に残留したトナーを含んだ現像剤Ｇを感光体３８から掻き取る掻取ブレード１０２と、掻き取られた現像剤Ｇを回収する回収部材１０４とを備えている。さらに、副回収機構１００は、図２に示したように、回収部材１０４に回収された現像剤Ｇを後述する受取部１３２に向けて輸送するための輸送管１０６と、ポンプ１０８とを備えている。以後の説明では、掻取ブレード１０２によって掻き取られた現像剤Ｇを第二回収剤Ｋ２と称する。
【００５５】
これにより、このポンプ１０８が、第二回収剤Ｋ２を輸送管１０６内に流して第二回収剤Ｋ２を受取部１３２に排出する。
【００５６】
〔トナー調整機構〕
トナー調整機構１２０は、第一回収剤Ｋ１及び第二回収剤Ｋ２に含まれるトナー凝集塊を分散する分散装置１３０と、トナー濃度を調整する濃度調整装置１５０とを備えている。なお、トナー凝集塊とは、トナー（トナー粒子）が帯電部材５４、６６等によって帯電されることで電荷を帯び、電荷を帯びたトナーが凝集して形成されるトナーの塊である。また、以後の説明では、第一回収剤Ｋ１と第二回収剤Ｋ２とを特に区別しない場合は、回収剤Ｋと称する。
【００５７】
［分散装置］
分散装置１３０は、回収剤Ｋを受け取る受取部１３２及び回収剤Ｋが通過する多孔部１３４が形成されている容器１３６と、容器１３６内の回収剤Ｋを搬送する搬送部材１４０とを備えている。さらに、分散装置１３０は、多孔部１３４を通過した回収剤Ｋを集める漏斗部材１３８を備えている。
【００５８】
容器１３６の底板１３６Ａ側に回収された回収剤Ｋは、回転軸１２８で回転される板部材１２２によって多孔部１３４側へ送られる。回収剤Ｋは、多孔部１３４を通過し、漏斗部材１３８で集められ、貯留部１５２に貯留される。
【００５９】
［濃度調整装置］
濃度調整装置１５０は、漏斗部材１３８によって集められた回収剤Ｋが貯留される貯留部１５２と、回収剤Ｋを現像装置４４の現像剤槽６０へ供給するための供給部１５４と、回収剤Ｋに調整剤Ｌ１、Ｌ２を加える付加部１５８とを備えている。
【００６０】
さらに、濃度調整装置１５０は、貯留部１５２から排出させた回収剤Ｋを循環させるための循環部１６２と、循環部１６２を流れる回収剤Ｋのトナー濃度を検知する検知部１６６（例えば、超音波式の濃度センサ）とを備えている。
【００６１】
〈貯留部〉
貯留部１５２は、漏斗部材１３８によって集められた回収剤Ｋが貯留される容器である貯留槽１７０と、貯留槽１７０内の回収剤Ｋを撹拌して回収剤Ｋのトナー濃度を一様にする撹拌部材１７２とを備えている。
【００６２】
〈供給部〉
供給部１５４は、貯留槽１７０に貯留された回収剤Ｋを、現像剤槽６０へ供給するための供給管１７６と、ポンプ１７８とを備えている。そして、このポンプ１７８が、回収剤Ｋを予め決められた流速で供給管１７６内に流して回収剤Ｋを現像剤槽６０へ供給する。
【００６３】
〈循環部〉
循環部１６２は、貯留槽１７０から回収剤Ｋを排出させて分散装置１３０を介して回収剤Ｋを循環させるための返送管２０２と、ポンプ２０４とを備えている。そして、このポンプ２０４が、回収剤Ｋを返送管２０２内に流して回収剤Ｋを、分散装置１３０を介して循環させる。
【００６４】
〈検知部〉
検知部１６６は、返送管２０２の途中に配置され、検知部１６６は、返送管２０２内に流れる回収剤Ｋのトナー濃度を検知する。
【００６５】
〈付加部〉
付加部１５８は、第一機構１８０と、第二機構１９０とを備えている。
【００６６】
第一機構１８０は、分散媒体であるキャリア液が調整剤Ｌ１として貯められた容器１８４と、容器１８４に貯められた調整剤Ｌ１を貯留槽１７０へ輸送するための輸送管１８６と、ポンプ１８８とを備えている。これにより、ポンプ１８８が、調整剤Ｌ１を輸送管１８６内に流して調整剤Ｌ１を貯留槽１７０に貯留されている回収剤Ｋに加える。
【００６７】
第二機構１９０は、予め決められた基準トナー濃度と比してトナー濃度が高くされた高濃度現像剤が調整剤Ｌ２として貯められた容器１９４と、容器１９４に貯められた調整剤Ｌ２を貯留槽１７０へ輸送するための輸送管１９６と、ポンプ１９８とを備えている。これにより、ポンプ１９８が、調整剤Ｌ２を輸送管１９６内に流して調整剤Ｌ２を貯留槽１７０に貯留されている回収剤Ｋに加える。
【００６８】
そして、検知部１６６は、返送管２０２を流れる回収剤Ｋのトナー濃度に基づいて、ポンプ１８８、１９８を制御し、貯留槽１７０に貯留された回収剤Ｋに調整剤Ｌ１、Ｌ２を加えて、トナー濃度を規定の濃度にする。
【００６９】
図６は、主回収機構１１０を示すブロック図である。主回収機構１１０の制御部２１０は、ＲＯＭ及びＲＡＭを内蔵したマイコンを中心に構成されるとともに、除電器１１６に除電用の電圧を印加する高圧回路を備えている。
【００７０】
この制御部２１０には、対応する画像形成部２６で形成する画像の情報が入力されるように構成されており、この画像情報ＧＪは、露光装置４２から感光体３８に露光光を照射して静電潜像を形成する際に用いられるデータである（図３参照）。
【００７１】
また、この画像情報ＧＪは、本実施形態において、連続紙Ｐに形成する一画像の情報であり、制御部２１０は、この画像情報ＧＪによって、一画像で使用するトナーの使用量を算出することができる。
【００７２】
図７は、制御部２１０の動作を示すフローチャートである。制御部２１０のマイコンがＲＯＭに記憶されたプログラムに従って動作を開始し、メインルーチンから除電処理が呼び出されると、マイコンは、感光体３８に露光光を照射して静電潜像を形成する為の一画像の画像情報ＧＪを取得してエリアカバレッジを算出する（Ｓ１）。
【００７３】
ここで、エリアカバレッジとは、一画像において感光体３８に形成する画像で用いるトナーの使用量を示す値であり、一例として単位面積当たりに占めるトナー画像の割合の平均値が百分率で示される。
【００７４】
そして、マイコンは、ステップＳ１で算出したエリアカバレッジを「１００」から減算することで、エリアカバレッジを反転したエリアカバレッジ反転値を算出する（Ｓ２）。なお、本実施形態では、エリアカバレッジからエリアカバレッジ反転値を算出する場合について述べるが、後述するデータテーブルＤＴを用いて、除電器１１６に供給する電流の実効値を取得してもよい。
【００７５】
このエリアカバレッジ反転値は、現像ロール５２のトナーを感光体３８へ転移した現像後に当該現像ロール５２に残存するトナーの割合を示す。
【００７６】
ここで、感光体３８で用いるトナーの使用量が多い場合には、現像ロール５２での残量が少なくなり、エリアカバレッジ反転値が小さくなるとともに、現像ロール５２から受取ロール１１２への受取量が少なくなる。
【００７７】
一方、感光体３８で用いるトナーの使用量が少ない場合には、現像ロール５２での残量が多くなり、エリアカバレッジ反転値が大きくなるとともに、現像ロール５２から受取ロール１１２への受取量が多くなる。
【００７８】
次に、マイコンは、図８に示すように、条件表を構成するデータテーブルＤＴを参照して、除電器１１６に供給する電流の実効値を取得する（Ｓ３）。
【００７９】
具体的に説明すると、感光体３８に形成する画像のエリアカバレッジＡＣが２０％の場合、エリアカバレッジ反転値ＲＡＣは８０％となるので、エリアカバレッジ反転値ＲＡＣが８０％の列の除電器実効電流ＪＪの行に記憶された「７２５μＡ」を取得する。
【００８０】
また、感光体３８に形成する画像のエリアカバレッジＡＣが８０％の場合、エリアカバレッジ反転値ＲＡＣは２０％となるので、エリアカバレッジ反転値ＲＡＣが２０％の列の除電器実効電流ＪＪの行に記憶された「２５０μＡ」を取得する。
【００８１】
ここで、本実施形態では、除電器１１６に交流を印加する場合を例に挙げて説明するが、除電器１１６の直流を印加してもよく、この場合は例えば平均電流を記憶したデータテーブルＤＴを用いる。また、このデータテーブルＤＴに記憶した各値は、実施形態を説明するために仮想した値であり、使用する装置の構成に応じて最適な値を設定するものとする。
【００８２】
そして、マイコンは、取得した除電器実効電流ＪＪに基づいて除電器１１６を通電して（Ｓ４）、メインルーチンへ戻る。これにより、除電器１１６からの電気によって受取ロール１１２の周面１１２Ａに移転したトナーの静電力を低減し、掻取ブレード１１４による掻取を容易とする。
【００８３】
ここで、この除電器実効電流ＪＪは、除電器１１６への通電電流の制御目標値であり、この除電器実効電流ＪＪが除電器１１６に通電されるものではない。
【００８４】
図９は、感光体３８に形成される一画像において、その画像が占める面積率と除電器１１６から出力される実効電流との関係を示すグラフである。
【００８５】
形成する一画像でのトナーの使用量が多い場合、感光体３８でのトナーの使用量が多く、現像ロール５２での残量が少なくなるとともに、受取ロール１１２での受取量も少なくなる。この場合、除電器１１６への除電器実効電流ＪＪが小さくなる。
【００８６】
一方、形成する一画像でのトナーの使用量が少ない場合、感光体３８でのトナーの使用量が少なく、現像ロール５２での残量が多くなるとともに、受取ロール１１２での受取量も多くなる。この場合、除電器１１６への除電器実効電流ＪＪが大きくなる。
【００８７】
これにより、現像後に現像ロール５２に残存するトナーの残量に基づいて除電器１１６からの出力が制御される。この出力を算出する際には、現像ロール５２に残存したトナーの残量に関する情報として、感光体３８に形成する画像の情報である画像情報ＧＪが用いられる。
【００８８】
（作用・効果）
次に、本実施形態の作用について説明する。
【００８９】
各ロール５２、１１２に付着したトナーを各ブレード１０２、１１４との摩擦によって押し付ける等すると、各ロール５２、１１２の周面５２Ｂ、１１２Ａにおいて、広域に薄くトナーが固着した所謂トナーフィルミングが生じ得る。
【００９０】
そこで、本実施形態では、現像ロール５２に残存したトナーを受取ロール１１２へ移転して受け取る。そして、受取ロール１１２では、受け取ったトナーの周面１１２Ａへの付着力を低減した後、掻取ブレード１１４で掻き取る。
【００９１】
このため、受取ロール１１２に転移したトナーを掻取部材である掻取ブレード１１４のみで除去する場合と比して、受取ロール１１２のフィルミングを抑制することができる。
【００９２】
また、トナーの周面１１２Ａへの付着力を低減する低減手段は、トナーに帯びた静電力を低減する除電器１１６で構成されている。
【００９３】
このため、受取ロール１１２に転移したトナーの付着力を機械的手段で低減する場合と比して、受取ロール１１２や掻取ブレード１１４のストレスを抑制することができる。
【００９４】
ここで、本実施形態での「ストレス」とは、受取ロール１１２の物理的な消耗や、掻取ブレード１１４の消耗や、トナーの強付着などが挙げられる。
【００９５】
また、静電力を低減することで、トナーの凝集を崩してから、掻取ブレード１１４で掻き取ることができる。
【００９６】
そして、制御部２１０は、現像後に現像ロール５２に残存したトナーの残量に基づいて除電器１１６による出力を制御する。
【００９７】
このため、トナーの残量によらず出力を一定とする場合と比して、フィルミングを抑制することができる。
【００９８】
また、制御部２１０は、トナーの残量に関する情報としての感光体３８に形成する画像情報ＧＪに基づいて出力を定める。
【００９９】
このため、受取ロール１１２の長さ方向ＮＨの全域にわたって複数の残量測定センサを設けてトナー残量を計測し出力を定める場合と比して、構成を簡素化することができる。
【０１００】
また、画像情報ＧＪを用いることで、トナー分布を検知することが可能となる。これにより、受取ロール１１２の長さ方向ＮＨの全体として出力の制御を適切に行うことができる。
【０１０１】
そして、本実施形態では、スポンジロールを用いてトナーを回収する場合と比して、スポンジの目詰まりによるトナー回収能力の低下及び短寿命化を抑制することができる。
【０１０２】
また、液体の現像剤を付与してトナーを除去して回収する場合と比して、回収した現像剤の濃度低下を抑制するとともに、濃度制御が容易となる。
【０１０３】
図１０は、本実施形態の効果を示す説明図であり、各ロール５２、１１２の単位面積当たりに生じたトナーフィルミングのトナー量が示されている。この図で示した棒グラフは、実測データに基づいてトナーフィルミングのトナー量の多寡を誇張して示したものであり、実測データをそのまま示したものではない。
【０１０４】
すなわち、本実施形態の受取ロール１１２を備えない第一比較例３０２では、現像ロール５２に形成されたトナーフィルミングのトナー量が多い。また、本実施形態の受取ロール１１２を備えた第二比較例３０４では、現像ロール５２のトナーフィルミングのトナー量は少ないが、受取ロール１１２のトナーフィルミングのトナー量が多い。
【０１０５】
一方、受取ロール１１２と除電器１１６とを備えた第一実施例３０６では、第二比較例３０４と比較して、受取ロール１１２のトナーフィルミングのトナー量が減少することを確認することができた。
【０１０６】
そして、除電器１１６による出力を現像ロール５２に残存したトナーの残量に基づいて制御する第二実施例３０８では、第一実施例３０６と比較して、受取ロール１１２のトナーフィルミングのトナー量がさらに減少することを確認することができた。
【０１０７】
また、トナーの残量に基づいて除電器１１６による出力を制御するため、例えば除電出力が過大となり、トナーが帯電電位と逆電位で凝集してしまうといった不具合を抑制することができる。
【０１０８】
（第二実施形態）
図１１から図１３は、第二実施形態を示す図であり、第一実施形態と同一又は同等部分に付いては、同符号を付して説明を割愛するとともに、異なる部分についてのみ説明する。本実施形態では、第一実施形態と比較して、受取ロール１１２に沿って設けられた除電器及び制御部２１０による制御が異なる。
【０１０９】
すなわち、本実施形態の除電器は、受取ロール１１２の回転軸１１２Ｂに沿って複数配列された第一〜第七除電器３１０〜３２２で構成されている。受取ロール１１２の長さ方向ＮＨに隣接した除電器３１０〜３２２は、回転軸１１２Ｂに沿った仮想直線を境とする両側に交互に配置されている。
【０１１０】
これにより、隣接した除電器３１０〜３２２のケース３１０Ａ〜３２２Ａ同士の干渉を抑制しつつ、ワイヤ３１０Ｂ〜３２２Ｂによる除電領域Ｒ１〜Ｒ７を受取ロール１１２の全長にわたって形成できるように構成されている。
【０１１１】
各除電器３１０〜３２２は、図１２に示すように、制御部２１０に接続されており、図１１に示したように、各除電器３１０〜３２２のワイヤ３１０Ｂ〜３２２Ｂには、制御部２１０から出力された電圧が印加される。
【０１１２】
図１３は、制御部２１０の動作を示すフローチャートである。制御部２１０のマイコンがＲＯＭに記憶されたプログラムに従って動作を開始し、メインルーチンから除電処理が呼び出されると、マイコンは、感光体３８に露光光を照射して静電潜像を形成する為の一画像の画像情報ＧＪを取得してエリアカバレッジを算出する（ＳＢ１）。
【０１１３】
そして、マイコンは、算出したエリアカバレッジを「１００」から減算することで、エリアカバレッジを反転したエリアカバレッジ反転値を、現像ロール５２の回転軸方向の各所毎に算出する（ＳＢ２）。ここで、エリアカバレッジ反転値を算出する現像ロール５２の各所とは、各除電器３１０〜３２２が除電を受け持つ除電領域Ｒ１〜Ｒ７に対応する箇所のとする。また、本実施形態では、エリアカバレッジからエリアカバレッジ反転値を算出する場合について述べるが、データテーブルＤＴを用いて、各除電器３１０〜３２２に供給する電流の実効値をそれぞれ取得してもよい。
【０１１４】
次に、マイコンは、図８に示したように、条件表を構成するデータテーブルＤＴを参照して、各除電器３１０〜３２２に供給する電流の実効値をそれぞれ取得する（ＳＢ３）。
【０１１５】
そして、マイコンは、取得した除電器実効電流ＪＪに基づいて各除電器３１０〜３２２を通電して（ＳＢ４）、メインルーチンへ戻る。これにより、各除電器３１０〜３２２からの電気によって受取ロール１１２の周面１１２Ａに移転したトナーの静電力を各除電領域Ｒ１〜Ｒ７毎に低減し、掻取ブレード１１４による掻取を容易とする。
【０１１６】
これにより、制御部２１０は、現像後に現像ロール５２の回転軸方向の各所毎に、残存するトナーの残量に基づいて各除電器３１０〜３２２による出力を制御する。また、制御部２１０は、現像ロール５２の各所に残存し得るトナーの残量に関する情報として、感光体３８に形成する画像情報ＧＪを用い、この画像情報ＧＪから各除電器３１０〜３２２による出力を定める。
【０１１７】
（作用・効果）
本実施形態においても、第一実施形態と同様の作用効果を奏することができる。
【０１１８】
また、本実施形態では、各除電器３１０〜３２２が受取ロール１１２の回転軸１１２Ｂに沿って複数配列されている。
【０１１９】
このため、単一の除電器が受取ロール１１２の回転軸１１２Ｂに沿って設けられた場合と比して、回転軸１１２Ｂに沿って配置された各除電器３１０〜３２２での出力を異なる値とすることができる。
【０１２０】
そして、制御部２１０は、現像後に現像ロール５２の回転軸方向の各所に残存するトナーの残量に基づいて各除電器３１０〜３２２による出力を制御する。
【０１２１】
このため、トナーの残量によらず出力を一定とする場合と比して、受取ロール１１２の各除電領域Ｒ１〜Ｒ７において、トナーに帯びた静電気を残量に応じて除電することができる。これにより、受取ロール１１２の各除電領域Ｒ１〜Ｒ７でのフィルミングを抑制することができる。
【０１２２】
また、制御部２１０は、現像ロール５２の各所に残存し得るトナーの残量に関する情報として、感光体３８に形成する画像情報ＧＪを用い、この画像情報ＧＪから各除電器３１０〜３２２による出力を定める。
【０１２３】
このため、トナーの残量を測定して各除電器３１０〜３２２による出力を定める場合と比して、構成を簡素化することができる。
【符号の説明】
【０１２４】
１０   画像形成装置
２６   画像形成部
３８   感光体
５２   現像ロール
５２Ｂ 周面
１１０ 主回収機構
１１２ 受取ロール
１１２Ａ      周面
１１２Ｂ      回転軸
１１４ 掻取ブレード
１１６ 除電器
２１０ 制御部
３１０〜３２２       第一〜第七除電器
ＡＣ   エリアカバレッジ
ＧＪ   画像情報
ＪＪ   除電器実効電流
【図１】
2019056784.tif 000003
【図２】
2019056784.tif 000004
【図３】
2019056784.tif 000005
【図４】
2019056784.tif 000006
【図５】
2019056784.tif 000007
【図６】
2019056784.tif 000008
【図７】
2019056784.tif 000009
【図８】
2019056784.tif 000010
【図９】
2019056784.tif 000011
【図１０】
2019056784.tif 000012
【図１１】
2019056784.tif 000013
【図１２】
2019056784.tif 000014
【図１３】
2019056784.tif 000015